(57)【要約】【課題】本発明が解決しようとする課題は、自己発電式の屋外照明灯において、通常の設置場所から離れた場所で照明が必要となった場合、照明灯を容易に移動させて適所に照明を提供することである。【解決手段】本発明による自己発電機能を備えた可搬型屋外照明灯では、固定設置されている支柱と、照明を提供する為に必要な発電機、照明灯、蓄電池を備えた発電コントロールボックスを取り付けた別の支柱とを、着脱が容易におこなえるような連結装置で連結し、必要に応じて連結を解除することにより、照明灯の移動を可能とする。【選択図】図１
2009217942.tif 000002
【特許請求の範囲】
【請求項１】
自然エネルギーから発電して電力を得る発電機と、照明器と、蓄電池を備えた発電コントロールボックスとを取り付けてある第２支柱と、前記第２支柱を固定する第１支柱とを有する屋外照明灯であって、前記第１支柱と前記第２支柱が、着脱可能な連結装置で連結されていることを特徴とする可搬型屋外照明装置。
【請求項２】
前記発電機は、太陽光発電機、風力発電機の両方又は、いずれか一方であることを特徴とする請求項１に記載の可搬型屋外照明装置。
【請求項３】
前記照明器は、白熱球、LEDランプ、HIDランプ、ハロゲンランプの少なくとも１つであることを特徴とする請求項１または請求項２に記載の可搬型屋外照明装置。
【請求項４】
前記第２支柱は、可倒可能である可倒部分を有することを特徴とする請求項１から請求項３のいずれか１つに記載の可搬型屋外照明装置。
【請求項５】
前記第２支柱は、前記第１支柱から離脱した状態で自立させるための柱脚が、予めもしくは前記第１支柱から離脱後に装着されていることを特徴とする請求項１から請求項４のいずれか１つに記載の可搬型屋外照明装置。
【請求項６】
前記連結装置は、ロックピン、パッチン錠、レバーの少なくとも１つとすることで、着脱時に工具を用いないことを特徴とする請求項１から請求項５のいずれか１つに記載の可搬型屋外照明装置。
【請求項７】
前記連結装置は、盗難防止目的の鍵が付与されていることを特徴とする請求項１から請求項６のいずれか１つに記載の可搬型屋外照明装置。
【発明の詳細な説明】
【技術分野】
【０００１】
本発明は、緊急災害対応、防犯対応を意識した自己発電機能を備える可搬型の屋外照明灯に関するものである。
【背景技術】
【０００２】
従来、街路や公園等に設置されている屋外照明灯は、商用電力を外部から供給されており、災害発生時、停電によって電力供給を断たれ場合、照明を提供することが不可能であった。
しかし、近年、地震などの自然災害が頻発しており、停電時でも外部からの電力供給無しで照明を提供することが可能な自己発電式の照明灯が求められていた。
【０００３】
そのような背景の中、いくつかの特許文献にはこれに対応した同様の提案が見られる。たとえば、図５は、特許文献１に記載された、太陽光発電機、風力発電機、蓄電池などで構成される自己発電式の屋外照明装置を示す図である。自己発電式であるので外部電源を必要とせずに照明を提供することが可能である。しかし、支柱は設置場所で常設するために固定されており、緊急災害時、設置場所以外で照明が必要となった場合には、移動させて適所に照明を供給することが不可能であった。
【０００４】
また、図６は、特許文献２に記載された、太陽光と風力を利用した自己発電式の屋外照明装置である。発電機、照明装置、発電コントロールボックスが取り付けられている支柱を上下に分割することが可能であるが、支柱を分割しても、蓄電池を含む発電コントロールBOXは設置場所の支柱から脱着できず、通常設置されている場所から移動をさせて照明を提供することができないという欠点があった。
【特許文献１】特開２００３−３４６５２１号
【特許文献２】特開２００７−１９４１７８号
【発明の開示】
【発明が解決しようとする課題】
【０００５】
上記のような事情から、解決しようとする課題は、自己発電式の屋外照明灯において、通常の設置場所から離れた場所で照明が必要となった場合、照明灯を容易に移動させて適所に照明を提供することを目的とする。
【課題を解決するための手段】
【０００６】
上記の課題を解決するための手段として、固定設置されている支柱と、照明を提供する為に必要な発電機、照明器、蓄電池を備えた発電コントロールボックスを取り付けた別の支柱とを、着脱が容易におこなえるような連結装置で連結し、災害発生時等の必要に応じて連結を解除することにより、自己発電機能を備えた可搬型の屋外照明灯を可能とする。以下、請求範囲に沿って説明する。
【０００７】
請求項１記載の発明は、自然エネルギーから発電して電力を得る発電機と、照明器と、蓄電池を備えた発電コントロールボックスとを取り付けてある第２支柱と、前記第２支柱を固定する第１支柱とを有する屋外照明灯であって、前記第１支柱と前記第２支柱が、着脱可能な連結装置で連結されていることを特徴とする。これにより、通常の設置場所から離れた場所で照明が必要となった場合、前記連結装置を解放して第２支柱を容易に移動させ適所に照明を提供することができる。
【０００８】
請求項２記載の発明は、請求項１記載の可搬型屋外照明灯において、前記発電機は、太陽光発電機、風力発電機の両方又は、いずれか一方であることを特徴とする。これにより、外部からの電力供給無しで発電コントロールボックスに備えられている蓄電池に充電することが可能になる。
【０００９】
請求項３記載の発明は、請求項１又は請求項２記載の可搬型屋外照明灯において、前記照明器は、白熱球、LEDランプ、HIDランプ、ハロゲンランプの少なくとも１つであることを特徴とする。
【００１０】
請求項４記載の発明は、請求項１又は請求項３のいずれか１つの可搬型屋外照明灯において、前記第２支柱は、可倒可能である可倒部分を有することを特徴とする。これにより、第２支柱の重心を低位置にすることが可能になり、安全に第１支柱から第２支柱を着脱させることができる。
【００１１】
請求項５記載の発明は、請求項１又は請求項４のいずれか１つに記載の可搬型屋外照明灯において、前記第２支柱は、前記第１支柱から離脱した状態で自立させるための柱脚が、予めもしくは前記第１支柱から離脱後に装着されていることを特徴とする。
これにより、第２支柱は、第１支柱から第２支柱を離脱した状態でも自立することが可能となる。
【００１２】
請求項６記載の発明は、請求項１又は請求項５のいずれか１つに記載の可搬型屋外照明灯において、前記連結装置は、ロックピン、パッチン錠、レバーの少なくとも１つとすることで、着脱時に工具を用いないことを特徴とする。これにより、緊急時においても、第１支柱から迅速且つ容易に第２支柱を着脱することができる。
【００１３】
請求項７記載の発明は、請求項１又は請求項６のいずれか１つに記載の可搬型屋外照明灯において、前記着脱可能な連結装置は、盗難防止目的の鍵が付与されていることを特徴とする。
【発明の効果】
【００１４】
以上の様に、本発明による可搬型屋外照明灯では、固定設置されている第１支柱と、照明を提供する為に必要な発電機、照明灯、蓄電池を含む発電コントロールボックスを取り付けた第２支柱とを、着脱が容易におこなえるような連結装置で連結することにより、通常の設置場所から離れた場所で照明が必要となった場合、第２支柱を容易に着脱して移動させることにより、適所に照明を提供することが可能となる。
【発明を実施するための最良の形態】
【００１５】
発明を実施するための最良の形態として、本発明による可搬型屋外照明灯は、発電装置、照明灯、蓄電池を含む発電コントロールボックスを取り付けた第２支柱と、固定された第１支柱とを着脱移動可能な連結装置で連結し、移動時には、連結装置を解放して第１支柱から第２支柱を着脱することにより、可搬型の屋外照明灯を可能にする。以下、実施態様をもって説明する。
【００１６】
図１は、本発明による可搬型屋外照明灯の一実施態様を示す図である。１−Ａでは、発電装置１００、１０１、照明装置１０２、蓄電池を含む発電コントロールボックス１０５(以下、発電コントロールボックス１０５)を備えた、可搬型屋外照明灯が固定設置されている。第１支柱１０６と第２支柱１０３は、支柱連結装置１０７で連結されており、通常時は設置箇所に固定されて照明を提供している。
【００１７】
１−Ｂでは、支柱連結装置１０７を開放して第１支柱１０６から、屋外照明灯として照明を提供する為の機能をすべて含む第２支柱１０３を離脱した状態を表している。この例では、第１支柱から第２支柱を離脱した後に、移動先で固定設置するための移動設置用脚部１１３と脚部設置部品１１４が用意されている。前記支柱連結装置１０７はロックピン、パッチン錠、レバーなどの、開放時に工具を用いることなく連結を解くことができるような連結装置を用いることにより、緊急時においても、容易に着脱することが可能となる。また、支柱連結装置１０７には盗難防止の為に鍵が付与されていることが好ましい。
【００１８】
１−Ｃでは、１−Ｂで用意した移動設置用脚部１１３を、第２支柱下部に支柱連結装置１０７を用いて装着し、脚部設置部品１１４を地中に打ち込むことにより、移動設置が完成した状態を示している。移動設置用脚部１１３のような運搬可能な脚部を脚部設置部品１１４を用いて固定することにより、通常設置箇所から移動をさせて照明を提供することができる。また、移動先での第２支柱の設置方法は、上記移動設置用脚部１１３のような脚や、予め設置されている電信柱や支柱などに固定バンドを用いて設置することも可能である。
【００１９】
図２は、本発明による可搬型屋外照明灯の別の実施態様である。この例では、第１支柱から第２支柱を離脱させた直後より自立していること特徴とする。まず、２−Ａでは、第２支柱１０３が第１支柱１０６に支柱連結装置１０７で連結されており、柱脚１０４(この例では、モニュメントとしての役割も担う)が第２支柱１０３の支柱下部に取り付けられている。また、柱脚１０４の地上接地部分には内蔵型キャスター１０８が取り付けてある。
【００２０】
２−Ｂでは、支柱連結装置１０７を解放して、第１支柱１０６から第２支柱１０３を離脱させた状態を示している。このとき、自己発電式の屋外照明灯として機能する部分をすべて含む第２支柱１０３を、柱脚１０４と内蔵型キャスター１０８の機能によって、自立させることにより、安全且つ容易に移動して設置することが可能となる。
【００２１】
次に、図３は、本発明による可搬型屋外照明灯の別の実施態様である。３−Ａでは、移動運搬用支柱１１０と移動用キャスター１１１を第２支柱可倒部分１０９に取り付けてあり、通常時は、第１支柱１０６と第２支柱１０３とを支柱連結装置１０７で連結して設置されている。
【００２２】
３−Ｂでは、可倒部分連結装置１１２を解放して、第２支柱可倒部分１０９を倒し、更に支柱連結装置１０７を解放して、第１支柱１０６から第２支柱１０３を離脱させ、移動設置用脚部１１３と脚部設置部品１１４を用意した状態を示している。このとき、安全に作業をするため、まずは可倒部分連結装置１１２を解放し、第２支柱可倒部分１０９をゆっくりと倒して移動運搬用支柱１１０に取り付けられている移動用キャスター１１１を地上面と接地させ、その後、支柱連結装置１０７を解放して第１支柱１０６から第２支柱１０３を離脱することが望ましい。
【００２３】
また、３−Ｃでは、移動設置が完成した状態を示している。脚部設置部品１１４を用いて移動設置用脚部１１３を設置した後、第２支柱１０３へ支柱連結装置１０７を用いて連結し、倒していた第２支柱可倒部分１０９を起こして可倒部分連結装置１１２を連結することにより、安全に設置作業を行うことができる。この時、移動先での第２支柱の設置方法は、上記移動設置用脚部１１３のような脚や、予め設置されている電信柱や支柱などに固定バンドを用いて設置することも可能である。
【００２４】
図４は、本発明による可搬型屋外照明灯の別の実施態様を示す図である。４−Ａでは、柱脚１０４が第２支柱可倒部分１０９の上部に取り付けられており、(この例では柱脚はモニュメントとしての役割も果たしている。)通常の設置状態においては、第２支柱１０３と第１支柱１０６は支柱連結装置１０７で連結して設置されている。
【００２５】
次に、４−Ｂでは非常時に支柱上部に取り付けられている柱脚１０４を取り外した状態を表している。可倒部分連結装置１１２を解放することにより、第２支柱可倒部分１０９を発電コントロールボックス１０５が取り付けてある側へ倒し、第２支柱可倒部分１０９から離脱した柱脚１０４を、第２支柱１０３の下部に装着して自立させるための脚として使用し、支柱連結装置１０７を開放することにより脱着を可能とする。
【００２６】
また、４−Cでは、倒されている状態の第２支柱可倒部分１０９を起こした後、取り外した柱脚１０４を第２支柱１０３の下部に取り付け、第１支柱１０６から支柱連結装置１０７を解放して離脱させた状態を表している。この時、柱脚１０４に取り付けられている内蔵型キャスター１０８により、第１支柱１０６から離脱した第２支柱１０３を、自立させたままで安全に移動することを可能とする。
【００２７】
尚、本発明の可搬型屋外照明装置において、発電機としては、太陽光発電機と風力発電機両方又は、いずれか一方であり、照明装置としては、白熱球、LEDランプ、HIDランプ、ハロゲンランプの少なくとも１つを使用する。また、第１支柱と、第２支柱を連結している着脱可能な連結装置は、盗難防止目的の鍵が付与されているロックピン、パッチン錠、レバーの少なくても１つの連結装置であり、更に、第２支柱可倒部分１０９を有する実施態様においては、可倒部分連結装置１１２にも前記連結装置の少なくとも一つを使用する。
【産業上の利用可能性】
【００２８】
以上、説明したように、本発明による可搬型屋外照明灯では、災害発生時に商用電源が断たれた場合、発電装置により蓄電した電力を用いて照明を点灯させ、さらに通常設置されている場所から容易に着脱して移動させることにより、適所に照明を提供することができるため、産業上利用性が極めて大きい。
【図面の簡単な説明】
【００２９】
【図１】本発明による可搬型屋外照明灯の一実施態様を示す図である。
【図２】本発明による可搬型屋外照明灯の別の実施態様を示す図である。
【図３】本発明による可搬型屋外照明灯の別の実施態様を示す図である。
【図４】本発明による可搬型屋外照明灯の別の実施態様を示す図である。
【図５】本発明による可搬型屋外照明灯の別の実施態様を示す図である。
【図６】従来の自己発電式屋外照明灯の一例を示す図である。
【図７】従来の自己発電式屋外照明灯の一例を示す図である。
【符号の説明】
【００３０】
１００、１０１  発電装置
１０２  照明装置
１０３  第２支柱
１０４  柱脚
１０５  発電コントロールボックス
１０６  第１支柱
１０７  支柱連結装置
１０８  内蔵型キャスター
１０９  第２支柱可倒部分
１１０  移動運搬用支柱
１１１  移動用キャスター
１１２  可倒部分連結装置
１１３  移動設置用脚部
１１４  脚部設置部品
【図１】
2009217942.tif 000003
【図２】
2009217942.tif 000004
【図３】
2009217942.tif 000005
【図４】
2009217942.tif 000006
【図５】
2009217942.tif 000007
【図６】
2009217942.tif 000008
【手続補正書】
【提出日】平成20年5月23日(2008.5.23)
【手続補正１】
【補正対象書類名】明細書
【補正対象項目名】００２９
【補正方法】変更
【補正の内容】
【００２９】
【図１】本発明による可搬型屋外照明灯の一実施態様を示す図である。
【図２】本発明による可搬型屋外照明灯の別の実施態様を示す図である。
【図３】本発明による可搬型屋外照明灯の別の実施態様を示す図である。
【図４】本発明による可搬型屋外照明灯の別の実施態様を示す図である。
【図５】本発明による可搬型屋外照明灯の別の実施態様を示す図である。
【図６】従来の自己発電式屋外照明灯の一例を示す図である。